【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
クライアント端末にデバイスドライバをインストールするためのインストーラセットを作成する情報処理装置において、
デバイスドライバの選択を受け付けるドライバ選択手段と、
前記ドライバ選択手段により選択されたデバイスドライバを前記クライアント端末にインストールするために必要な設定情報の入力を受け付ける設定情報入力手段と、
前記設定情報入力手段により入力された設定情報が適用されたデバイスオブジェクトとしてデバイスドライバをインストールすべき設定情報の選択を、前記設定情報入力手段により入力された複数の設定情報の中から任意の組み合わせで、受け付ける組み合わせ選択手段と、
前記組み合わせ選択手段により選択された組み合わせの設定情報が適用されたデバイスオブジェクトとして前記デバイスドライバをインストールするために必要な当該組み合わせの設定情報が記述された定義ファイルを作成する定義ファイル作成手段と、
前記定義ファイル作成手段により作成された定義ファイル、および前記デバイスオブジェクトとして前記デバイスドライバをインストールするためのインストーラを含む自己解凍形式のインストーラセットを作成するインストーラセット作成手段とを備えることを特徴とする情報処理装置。
【請求項２】
前記定義ファイル作成手段で作成する定義ファイルの作成方法を指定する作成方法指定手段を更に備え、
前記定義ファイル作成手段は、前記作成方法指定手段で指定した作成方法に従って、前記定義ファイルを作成することを特徴とする請求項１に記載の情報処理装置。
【請求項３】
前記作成方法指定手段は、
前記組み合わせ選択手段により選択された設定情報数のデバイスドライバのインストールを一括でインストールするために、前記設定情報をまとめて記述した定義ファイルを作成するための一括作成モードと、
前記組み合わせ選択手段により選択された設定情報ごとにデバイスドライバのインストールを、ユーザの指示に応じて個別にインストールために、前記設定情報を個別に記述した定義ファイルを個別に作成するための個別作成モードと、
前記組み合わせ選択手段で選択された設定情報のうち、任意の設定情報を組み合わせて記述した定義ファイルを任意の組み合わせ数分作成するための組合せ作成モードのいずれか１つを指定することを特徴とする請求項２に記載の情報処理装置。
【請求項４】
前記インストーラセット作成手段は、
前記一括作成モードが指定された場合に、１つの自己解凍形式のインストーラセットを作成し、
前記個別作成モードが指定された場合に、前記組み合わせ選択手段により選択された設定情報数の自己解凍形式のインストーラセットを作成し、
前記組合せ作成モードが指定された場合に、前記組み合わせ数分の自己解凍形式のインストーラセットを作成することを特徴とする請求項３に記載の情報処理装置。
【請求項５】
前記自動解凍形式のインストーラセットを用いて前記デバイスドライバのインストールを実行するべく、クライアント端末に前記自動解凍形式のインストーラセットを送信する送信手段を更に備えることを特徴とする請求項１乃至４のいずれか１項に記載の情報処理装置。
【請求項６】
前記設定情報は、プリンタ情報であり、
デバイスドライバは、プリンタドライバであることを特徴とする請求項１乃至５のいずれか１項に記載の情報処理装置。
【請求項７】
クライアント端末にデバイスドライバをインストールするためのインストーラセットを作成する情報処理装置におけるインストーラセット作成方法において、
デバイスドライバの選択を受け付けるドライバ選択工程と、
前記ドライバ選択工程により選択されたデバイスドライバを前記クライアント端末にインストールするために必要な設定情報の入力を受け付ける設定情報入力工程と、
前記設定情報入力工程により入力された設定情報が適用されたデバイスオブジェクトとしてデバイスドライバをインストールすべき設定情報の選択を、前記設定情報入力工程により入力された複数の設定情報の中から任意の組み合わせで、受け付ける組み合わせ選択工程と、
前記組み合わせ選択工程により選択された組み合わせの設定情報が適用されたデバイスオブジェクトとして前記デバイスドライバをインストールするために必要な当該組み合わせの設定情報が記述された定義ファイルを作成する定義ファイル作成工程と、
前記定義ファイル作成工程により作成された定義ファイル、および前記デバイスオブジェクトとして前記デバイスドライバをインストールするためのインストーラを含む自己解凍形式のインストーラセットを作成するインストーラセット作成工程とを備えることを特徴とするインストーラセット作成方法。
【請求項８】
クライアント端末にデバイスドライバをインストールするためのインストーラセットを作成する情報処理装置で実行可能なプログラムであって、
前記情報処理装置を、
デバイスドライバの選択を受け付けるドライバ選択手段と、
前記ドライバ選択手段により選択されたデバイスドライバを前記クライアント端末にインストールするために必要な設定情報の入力を受け付ける設定情報入力手段と、
前記設定情報入力手段により入力された設定情報が適用されたデバイスオブジェクトとしてデバイスドライバをインストールすべき設定情報の選択を、前記設定情報入力手段により入力された複数の設定情報の中から任意の組み合わせで、受け付ける組み合わせ選択手段と、
前記組み合わせ選択手段により選択された組み合わせの設定情報が適用されたデバイスオブジェクトとして前記デバイスドライバをインストールするために必要な当該組み合わせの設定情報が記述された定義ファイルを作成する定義ファイル作成手段と、
前記定義ファイル作成手段により作成された定義ファイル、および前記デバイスオブジェクトとして前記デバイスドライバをインストールするためのインストーラを含む自己解凍形式のインストーラセットを作成するインストーラセット作成手段として機能させることを特徴とするプログラム。
【請求項９】
請求項８に記載のプログラムを記憶した記憶媒体。
【請求項１０】
クライアント端末にデバイスドライバをインストールするためのインストーラセットを作成する情報処理装置とクライアント端末がネットワークを介して通信可能な印刷システムにおいて、
前記情報処理装置は、
デバイスドライバの選択を受け付けるドライバ選択手段と、
前記ドライバ選択手段により選択されたデバイスドライバを前記クライアント端末にインストールするために必要な設定情報の入力を受け付ける設定情報入力手段と、
前記設定情報入力手段により入力された設定情報が適用されたデバイスオブジェクトとしてデバイスドライバをインストールすべき設定情報の選択を、前記設定情報入力手段により入力された複数の設定情報の中から任意の組み合わせで、受け付ける組み合わせ選択手段と、
前記組み合わせ選択手段により選択された組み合わせの設定情報が適用されたデバイスオブジェクトとして前記デバイスドライバをインストールするために必要な当該組み合わせの設定情報が記述された定義ファイルを作成する定義ファイル作成手段と、
前記定義ファイル作成手段により作成された定義ファイル、および前記デバイスオブジェクトとして前記デバイスドライバをインストールするためのインストーラを含む自己解凍形式のインストーラセットを作成するインストーラセット作成手段とを備え、
前記クライアント端末は、
前記自己解凍形式のインストーラセットを前記情報処理装置からダウンロードするダウンロード手段と、
ユーザの指示に従って、前記ダウンロード手段でダウンロードした前記自己解凍形式のインストーラセットを実行することで、前記定義ファイルに従って前記デバイスドライバをインストールするインストール手段とを備えることを特徴とする印刷システム。
【手続補正２】
【補正対象書類名】明細書
【補正対象項目名】発明の名称
【補正方法】変更
【補正の内容】
【発明の名称】情報処理装置及びインストーラセット作成方法、プログラム、記憶媒体、並びに印刷システム
【手続補正３】
【補正対象書類名】明細書
【補正対象項目名】０００１
【補正方法】変更
【補正の内容】
【０００１】
本発明は、情報処理装置及びインストーラセット作成方法、プログラム、記憶媒体、並びに印刷システムに関する。
【手続補正４】
【補正対象書類名】明細書
【補正対象項目名】０００８
【補正方法】変更
【補正の内容】
【０００８】
本発明は、利用する複数の設定によるドライバのインストールを容易に行うための自己解凍形式のインストーラセットの作成を操作者が容易に行うことができ、作業負担を軽減することができる情報処理装置及びインストーラセット作成方法、プログラム、記憶媒体、並びに印刷システムを提供することを目的とする。
【手続補正５】
【補正対象書類名】明細書
【補正対象項目名】０００９
【補正方法】変更
【補正の内容】
【０００９】
上記目的を達成するために、請求項１記載の情報処理装置は、クライアント端末にデバイスドライバをインストールするためのインストーラセットを作成する情報処理装置において、デバイスドライバの選択を受け付けるドライバ選択手段と、前記ドライバ選択手段により選択されたデバイスドライバを前記クライアント端末にインストールするために必要な設定情報の入力を受け付ける設定情報入力手段と、前記設定情報入力手段により入力された設定情報が適用されたデバイスオブジェクトとしてデバイスドライバをインストールすべき設定情報の選択を、前記設定情報入力手段により入力された複数の設定情報の中から任意の組み合わせで、受け付ける組み合わせ選択手段と、前記組み合わせ選択手段により選択された組み合わせの設定情報が適用されたデバイスオブジェクトとして前記デバイスドライバをインストールするために必要な当該組み合わせの設定情報が記述された定義ファイルを作成する定義ファイル作成手段と、前記定義ファイル作成手段により作成された定義ファイル、および前記デバイスオブジェクトとして前記デバイスドライバをインストールするためのインストーラを含む自己解凍形式のインストーラセットを作成するインストーラセット作成手段とを備えることを特徴とする。
【手続補正６】
【補正対象書類名】明細書
【補正対象項目名】００１０
【補正方法】変更
【補正の内容】
【００１０】
上記目的を達成するために、請求項７記載のインストーラセット作成方法は、クライアント端末にデバイスドライバをインストールするためのインストーラセットを作成する情報処理装置におけるインストーラセット作成方法において、デバイスドライバの選択を受け付けるドライバ選択工程と、前記ドライバ選択工程により選択されたデバイスドライバを前記クライアント端末にインストールするために必要な設定情報の入力を受け付ける設定情報入力工程と、前記設定情報入力工程により入力された設定情報が適用されたデバイスオブジェクトとしてデバイスドライバをインストールすべき設定情報の選択を、前記設定情報入力工程により入力された複数の設定情報の中から任意の組み合わせで、受け付ける組み合わせ選択工程と、前記組み合わせ選択工程により選択された組み合わせの設定情報が適用されたデバイスオブジェクトとして前記デバイスドライバをインストールするために必要な当該組み合わせの設定情報が記述された定義ファイルを作成する定義ファイル作成工程と、前記定義ファイル作成工程により作成された定義ファイル、および前記デバイスオブジェクトとして前記デバイスドライバをインストールするためのインストーラを含む自己解凍形式のインストーラセットを作成するインストーラセット作成工程とを備えることを特徴とする。
【手続補正７】
【補正対象書類名】明細書
【補正対象項目名】００１１
【補正方法】変更
【補正の内容】
【００１１】
上記目的を達成するために、請求項１０記載の印刷システムは、クライアント端末にデバイスドライバをインストールするためのインストーラセットを作成する情報処理装置とクライアント端末がネットワークを介して通信可能な印刷システムにおいて、前記情報処理装置は、デバイスドライバの選択を受け付けるドライバ選択手段と、前記ドライバ選択手段により選択されたデバイスドライバを前記クライアント端末にインストールするために必要な設定情報の入力を受け付ける設定情報入力手段と、前記設定情報入力手段により入力された設定情報が適用されたデバイスオブジェクトとしてデバイスドライバをインストールすべき設定情報の選択を、前記設定情報入力手段により入力された複数の設定情報の中から任意の組み合わせで、受け付ける組み合わせ選択手段と、前記組み合わせ選択手段により選択された組み合わせの設定情報が適用されたデバイスオブジェクトとして前記デバイスドライバをインストールするために必要な当該組み合わせの設定情報が記述された定義ファイルを作成する定義ファイル作成手段と、前記定義ファイル作成手段により作成された定義ファイル、および前記デバイスオブジェクトとして前記デバイスドライバをインストールするためのインストーラを含む自己解凍形式のインストーラセットを作成するインストーラセット作成手段とを備え、前記クライアント端末は、前記自己解凍形式のインストーラセットを前記情報処理装置からダウンロードするダウンロード手段と、ユーザの指示に従って、前記ダウンロード手段でダウンロードした前記自己解凍形式のインストーラセットを実行することで、前記定義ファイルに従って前記デバイスドライバをインストールするインストール手段とを備えることを特徴とする。
【手続補正８】
【補正対象書類名】明細書
【補正対象項目名】００１２
【補正方法】変更
【補正の内容】
【００１２】
本発明によれば、利用する複数の設定によるドライバのインストールを容易に行うための自己解凍形式のインストーラセットの作成を操作者が容易に行うことができ、作業負担を軽減することができる。